(57)【要約】【課題】階段ユニットに庇を強固に取り付けることが可能なユニット建物を提供する。【解決手段】梁材と柱材とによって骨組みが形成された複数の建物ユニットを連結させたユニット建物１０であって、複数の建物ユニットが連結された第１ユニット群と、第１ユニット群と間隔を置いて設けられた複数の建物ユニットが連結された第２ユニット群と、第１ユニット群と第２ユニット群との間に設けられた階段部を有する階段ユニット１とを備えている。  この階段ユニットには、端部のエントランス壁１６に開口部が設けられ、その上方には庇部３が配置されている。また、庇部の下面となる柱固定部３１１は、階段ユニットの柱１１の上端面１１１に接合されているとともに、庇部の軒元側の端部の床固定部３１２は、階段ユニットの上階床１８の側面部１８１に接合されている。【選択図】図１
2018172848.tif 000002
【特許請求の範囲】
【請求項１】
梁材と柱材とによって骨組みが形成された複数の建物ユニットを連結させたユニット建物であって、
複数の建物ユニットが連結された第１ユニット群と、
前記第１ユニット群と間隔を置いて設けられた複数の建物ユニットが連結された第２ユニット群と、
前記第１ユニット群と前記第２ユニット群との間に設けられた階段部を有する階段ユニットとを備え、
前記階段ユニットには、前記第１ユニット群と前記第２ユニット群との間隔方向と略直交する方向の端部に開口部が設けられ、かつ前記開口部の上方には庇部が配置されており、
前記庇部の下面は、前記階段ユニットの柱材の上端面に接合されているとともに、前記庇部の軒元側の端部は、前記階段ユニットの上階床の側面に接合されていることを特徴とするユニット建物。
【請求項２】
前記庇部の軒元側の端部は、前記上階床の側面に隣接させる固定金具によって形成されており、
前記固定金具は、前記階段ユニットの柱材の上端面に接合させる柱固定部と、前記階段ユニットの上階床の側面に接合させる床固定部とを有していることを特徴とする請求項１に記載のユニット建物。
【請求項３】
前記階段ユニットの前記開口部の上方には手摺部が設けられており、前記手摺部の下枠と前記上階床の上面との隙間が前記庇部に向けた排水経路に形成されていることを特徴とする請求項１又は２に記載のユニット建物。
【請求項４】
前記庇部の軒先側の隅角部には、竪樋部が接続されていることを特徴とする請求項１乃至３のいずれか１項に記載のユニット建物。
【発明の詳細な説明】
【技術分野】
【０００１】
本発明は、梁材と柱材とによって骨組みが形成された複数の建物ユニットを連結させたユニット建物に関するものである。
【背景技術】
【０００２】
特許文献１に開示されているように離し置きされた建物ユニット群間に、階段が設けられたユニット建物が知られている。これらのユニット建物においては、２つの建物ユニット群が間隔を置いて平行に設置された後に、直線階段の構築が現場で行われる。
【０００３】
一方、特許文献２に開示されているように、外壁にビスやアンカー等で庇を直接、取り付ける構造が知られている。また、特許文献３に開示されているように、庇の軒先側に竪樋を接続させる排水処理構造が知られている。
【先行技術文献】
【特許文献】
【０００４】
【特許文献１】特開２０１４−５５４３０号公報
【特許文献２】特開２０１６−２１１３３０号公報
【特許文献３】特開平６−２２９０２５号公報
【発明の概要】
【発明が解決しようとする課題】
【０００５】
しかしながら、庇の張り出し量が大きくなったり、庇上面を流す雨水などの排水量が多くなったりした場合に、庇と建物本体との接合が強固でないと、重みによって庇が垂れ下がり、軒元側の排水がスムーズに行えなくなる場合がある。
【０００６】
そこで、本発明は、階段ユニットに庇を強固に取り付けることが可能なユニット建物を提供することを目的としている。
【課題を解決するための手段】
【０００７】
前記目的を達成するために、本発明のユニット建物は、梁材と柱材とによって骨組みが形成された複数の建物ユニットを連結させたユニット建物であって、複数の建物ユニットが連結された第１ユニット群と、前記第１ユニット群と間隔を置いて設けられた複数の建物ユニットが連結された第２ユニット群と、前記第１ユニット群と前記第２ユニット群との間に設けられた階段部を有する階段ユニットとを備え、前記階段ユニットには、前記第１ユニット群と前記第２ユニット群との間隔方向と略直交する方向の端部に開口部が設けられ、かつ前記開口部の上方には庇部が配置されており、前記庇部の下面は、前記階段ユニットの柱材の上端面に接合されているとともに、前記庇部の軒元側の端部は、前記階段ユニットの上階床の側面に接合されていることを特徴とする。
【０００８】
ここで、前記庇部の軒元側の端部は、前記上階床の側面に隣接させる固定金具によって形成されており、前記固定金具は、前記階段ユニットの柱材の上端面に接合させる柱固定部と、前記階段ユニットの上階床の側面に接合させる床固定部とを有している構成とすることができる。
【０００９】
また、前記階段ユニットの前記開口部の上方には手摺部が設けられており、前記手摺部の下枠と前記上階床の上面との隙間が前記庇部に向けた排水経路に形成されている構成とすることができる。さらに、前記庇部の軒先側の隅角部には、竪樋部を接続させることができる。
【発明の効果】
【００１０】
このように構成された本発明のユニット建物は、複数の建物ユニットが連結された第１ユニット群と第２ユニット群との間に階段ユニットが設置された建物において、階段ユニットの開口部の上方に庇部が配置される。
【００１１】
そして、この庇部の下面は、階段ユニットの柱材の上端面に接合されるとともに、庇部の軒元側の端部は階段ユニットの上階床の側面に接合される。このように２方向で接合させるため、庇部を階段ユニットに強固に取り付けることができる。
【００１２】
また、このような接合は、庇部の軒元側の端部を上階床の側面に隣接させる固定金具によって形成することで、柱材側への固定と上階床側への固定とを容易に実施することができる。
【００１３】
さらに、階段ユニットの開口部の上方に手摺部が設けられている場合に、手摺部の下枠と上階床との隙間の排水経路から庇部に向けて排水がされても、庇部が強固に接合されているので垂れ下がりが起きることがなく、スムーズな排水を行うことができる。そして、庇部の軒先側の隅角部に竪樋部を接続することで、軒先側からの集中排水も行うことができる。
【図面の簡単な説明】
【００１４】
【図１】本実施の形態のユニット建物の庇部の構成を示した説明図である。
【図２】ユニット建物全体の概略構成を模式的に示した説明図である。
【図３】第１及び第２ユニット群を構成する建物ユニットを説明する斜視図である。
【図４】階段ユニット及び庇部の構成を分解して説明する斜視図である。
【図５Ａ】固定金具の階段ユニットへの取り付け方法を説明する斜視図である。
【図５Ｂ】固定金具に庇部の本体を取り付ける方法を説明する斜視図である。
【図６】階段ユニットに庇部が取り付けられた状態を説明する側面図である。
【発明を実施するための形態】
【００１５】
以下、本発明の実施の形態について図面を参照して説明する。図１は、本実施の形態のユニット建物１０の庇部３の構成を詳細に示した図で、図２は本実施の形態のユニット建物１０の概略構成を模式的に示した図である。
【００１６】
まず、ユニット建物１０の構成から説明すると、このようなユニット建物１０は、工場で製作される複数の建物ユニット２，・・・及び階段ユニット１を建築現場に搬送し、基礎（図示省略）の上に横方向に並べて１階部を構築するとともに、それらの（下階）建物ユニット２，・・・の上に別の（上階）建物ユニット２，・・・を積み上げることで上層階を構築していく。
【００１７】
一方、ユニット建物１０を構成する階段ユニット１及び建物ユニット２は、梁材と柱材とによって骨組みが形成される。まず、第１ユニット群２０Ａ及び第２ユニット群２０Ｂを構成する建物ユニット２について、図３を参照しながら説明する。
【００１８】
建物ユニット２は、四隅に配置される柱材としての柱２１，・・・と、その柱２１，・・・の下端間に差し渡される梁材としての床梁２２，２２Ａ，・・・と、柱２１，・・・の上端間に架け渡される梁材としての天井梁２３，２３Ａ，・・・とによってボックス形の骨組構造体に形成される。
【００１９】
ここで、柱２１は角形鋼管、床梁２２，２２Ａ及び天井梁２３，２３Ａは断面視略コ字形の溝形鋼材によって形成されている。また、柱２１と床梁２２（２２Ａ）及び天井梁２３（２３Ａ）は、接合枠材１４（１４Ａ）を介して溶接接合される。要するに建物ユニット２は、すべての隅角部が溶接接合されたラーメン構造体となっている。
【００２０】
そして、図２に示すように、複数の建物ユニット２，・・・が左右及び上下に連結されることによって第１ユニット群２０Ａが形成される。また、第１ユニット群２０Ａと間隔を置いて、複数の建物ユニット２，・・・が左右及び上下に連結されることによって第２ユニット群２０Ｂが形成される。
【００２１】
本実施の形態のユニット建物１０では、第１ユニット群２０Ａと第２ユニット群２０Ｂとは、略平行となるように間隔を置いて設けられる。そして、この第１ユニット群２０Ａと第２ユニット群２０Ｂとの間の平面視略長方形の空間に、図４に示すような階段ユニット１が設置される。
【００２２】
この階段ユニット１は、四隅に配置される柱材としての柱１１，・・・と、その柱１１，・・・の下端間に差し渡される梁材としての床梁１２，１２Ａ，・・・と、柱１１，・・・の上端間に架け渡される梁材としての上床梁１３，１３Ａ，・・・とによって骨組構造体が形成される。
【００２３】
ここで、柱１１は角形鋼管、床梁１２，１２Ａ及び上床梁１３，１３Ａは断面視略コ字形の溝形鋼材によって形成されている。また、柱１１と床梁１２（１２Ａ）及び上床梁１３（１３Ａ）は、接合枠材１４（１４Ａ）を介して溶接接合される。
【００２４】
階段ユニット１は、搬送時は、上床梁１３と柱１１の上端とが仮梁（図示省略）によって接続されたボックス形の骨組構造体となっている。この仮梁は、階段ユニット１を所定の位置に設置した後に撤去される。
【００２５】
また、階段ユニット１には、下階段部１９Ａ、踊り場１９１、上階段部１９Ｂ及び上階床１８が設けられる。なお、地上階となる床梁１２，１２，１２Ａ，１２Ａ間は、床板１７によって塞がれる。
【００２６】
この階段ユニット１に設けられる階段部は、床板１７から踊り場１９１までの一方向に延びる下階段部１９Ａと、階段ユニット１の高さ方向の略中央に設けられる踊り場１９１と、踊り場１９１から上階床１８までの下階段部１９Ａとは反対方向に延びる上階段部１９Ｂとによって主に構成される廻り階段である。
【００２７】
ここで、上階床１８は、上床梁１３，１３間に略平行に架け渡された複数の床小梁１８２，・・・よって支持される。また踊り場１９１は、端部が柱１１の高さ方向の中央部に接続される。
【００２８】
そして、階段ユニット１は、図２に示すように、隣接する第１ユニット群２０Ａと第２ユニット群２０Ｂとに連結されることによって、安定した状態になる。
【００２９】
このようにして第１ユニット群２０Ａ及び第２ユニット群２０Ｂの１階と連結された階段ユニット１の上方には、図６に示すように屋根部としての張出し屋根１０１が架け渡される。
【００３０】
この平面視略長方形の張出し屋根１０１は、第１ユニット群２０Ａの２階上縁と第２ユニット群２０Ｂの２階上縁との間に架け渡される。そして、第１ユニット群２０Ａと第２ユニット群２０Ｂとの間の直方体状の空間は、張出し屋根１０１に覆われた吹き抜け空間となる。
【００３１】
張出し屋根１０１の軒先は、階段ユニット１の縁部を覆う位置まで張り出される。そして、この吹き抜け空間に設置される階段ユニット１には、第１ユニット群２０Ａと第２ユニット群２０Ｂとの間隔方向と略直交する方向（第１ユニット群２０Ａと第２ユニット群２０Ｂとの間の吹き抜け空間の長手方向）の一方の端部に、エントランス壁１６が設けられる。
【００３２】
このエントランス壁１６には、図２に示すように開口部１５が設けられ、開口部１５はドア部１５１によって開閉自在に塞がれる。本実施の形態の構成では、開口部１５は下階段部１９Ａの昇降口と対面した位置に設けられる。
【００３３】
なお、階段ユニット１は、エントランス壁１６と対向する反対側の端部も壁で塞ぐことができる。さらに、階段ユニット１は、第１ユニット群２０Ａとの間の側部、及び第２ユニット群２０Ｂとの間の側部も壁で塞ぐことができる。
【００３４】
また、階段ユニット１の端部となる庇部３との境界位置には、上階床１８上に手摺部４が設けられる。手摺部４は、階段ユニット１の柱１１上に建てられた支柱４２，４２によって支持され、図１に示すように、支柱４２，４２間に架け渡された手摺部４の下枠４３と上階床１８の上面１８３との隙間は、排水経路４１となる。
【００３５】
要するに、上階床１８の上面１８３に連続する庇部３の上面部３３が形成され、矢印で図示したように、上階床１８上の水を庇部３に向けて流下させることができる。
【００３６】
そして、開口部１５を覆うように、上方に庇部３が配置される。この庇部３は、図１に示すように、下面が階段ユニット１の柱１１の上端面１１１に接合されるとともに、庇部３の軒元側の端部は、階段ユニット１の上階床１８の側面を形成する側面部１８１に接合される。
【００３７】
庇部３の上面部３３には、軒先側に向けた排水勾配が形成されており、軒先部３６に沿って設けられた凹部３３１を流れた雨水は、竪樋部３４によって排水される。
【００３８】
竪樋部３４は、庇部３の軒天井３５に接続される集水桝３４１に集中した水を流下させる機能を有する。さらには、竪樋部３４は、柱となる部材と兼用させて、又は柱材にそって樋部材を配置した構成とすることで、庇部３の軒先部３６側を下方から支持させる構成とすることができる。
【００３９】
詳細には、図４に示すように、竪樋部３４は、平面視長方形状の庇部３の軒先部３６側の隅角部に設けられる。庇部３の竪樋部３４側と反対側の側縁は、袖壁部３７によって支持させることができる。すなわち図６に示すように、ポーチ床３８に建てられた竪樋部３４及び袖壁部３７によっても、庇部３の垂れ下がりは抑えられる。
【００４０】
本実施の形態では、庇部３と階段ユニット１とを強固に接合させるために、固定金具３１が使用される。固定金具３１は、図４に示すように、庇部３の端部を形成するように設けられる。
【００４１】
固定金具３１は、図５Ａに示すように、高さが異なる２つの箱状部材が階段状に接合されることによって製作される。そして、固定金具３１の下面が、階段ユニット１の柱１１の上端面１１１に庇部３を接合させる柱固定部３１１となる。
【００４２】
また、柱固定部３１１に直交する上階床１８側の垂直面が、側面部１８１に庇部３を接合させる床固定部３１２となる。この床固定部３１２は、高さが低い方の箱状部材に設けられる。
【００４３】
この床固定部３１２の反対側となる庇部３側の側面には、本体固定部３１３が設けられる。この本体固定部３１３が設けられる高さが高い方の箱状部材の上面は、手摺固定部３１４となる。この手摺固定部３１４に、手摺部４の支柱４２の下端が接続される。
【００４４】
柱固定部３１１の穴には、ボルト３１１ａが通されて、柱１１の上端面１１１の穴にねじ込まれる。また、床固定部３１２には、上階床１８の側面部１８１側からボルト３１２ａ，３１２ａがねじ込まれて、固定金具３１の内部側に配置されたナット３１２ｂ，３１２ｂと締結されることになる。
【００４５】
一方、図５Ｂに示すように、庇部３本体には、階段ユニット１の上階床１８に沿って断面視略Ｌ字形の軒元部３２が設けられている。この軒元部３２の垂直壁の穴に挿し込まれたボルト３１３ａ，３１３ａが、本体固定部３１３の穴を通って、固定金具３１の内部側に配置された取付プレート３１３ｂの雌ねじ穴に締結されることになる。
【００４６】
次に、本実施の形態のユニット建物１０の庇部３の取り付け方法について、図４，５Ａ，５Ｂを参照しながら説明する。
【００４７】
まず、第１ユニット群２０Ａと第２ユニット群２０Ｂとの間に、図４に示すように、階段ユニット１を吊り降ろし、設置する。そして、図５Ａに示すように、固定金具３１の柱固定部３１１を階段ユニット１の柱１１の上端面１１１に載せ、平座金、バネ座金などが装着されたボルト３１１ａを、柱固定部３１１及び上端面１１１の穴に通す。
【００４８】
柱１１の上端面１１１の穴は、雌ねじ穴になっているか又はナットが下面側に固着されており、ボルト３１１ａを締結させることができる。また、このようにして柱１１の上端面１１１に接合された固定金具３１の床固定部３１２は、上階床１８の側面部１８１に接触した状態となる。
【００４９】
そこで、側面部１８１及び床固定部３１２の穴にボルト３１２ａ，３１２ａを通して、固定金具３１の内部に突出されたボルト３１２ａ，３１２ａの先端にナット３１２ｂ，３１２ｂを装着して締結を行う。
【００５０】
さらに、階段ユニット１に固定された固定金具３１に対して、図５Ｂに示すように、クレーンで吊下げられた庇部３の軒元部３２を近寄せる。そして、本体固定部３１３の内面側に取付プレート３１３ｂを宛がい、軒元部３２及び本体固定部３１３の穴に通されたボルト３１３ａ，３１３ａの先端を、取付プレート３１３ｂに固着されたナットにねじ込んで締結を行う。
【００５１】
そして、庇部３の下方側では、軒先部３６側の片方の隅角部に竪樋部３４が取り付けられる。また、庇部３の竪樋部３４と反対側の側縁には、袖壁部３７が取り付けられる。
【００５２】
次に、本実施の形態のユニット建物１０の作用について説明する。
【００５３】
このように構成された本実施の形態のユニット建物１０は、複数の建物ユニット２，・・・が連結された第１ユニット群２０Ａと第２ユニット群２０Ｂとの間に階段ユニット１が設置されており、その階段ユニット１には、開口部１５の上方に庇部３が配置される。
【００５４】
そして、この庇部３の端部の下面となる固定金具３１の柱固定部３１１は、階段ユニット１の柱１１の上端面１１１に接合される。さらに、庇部３の軒元側の端部となる固定金具３１の床固定部３１２は、階段ユニット１の上階床１８の側面部１８１に接合される。
【００５５】
要するに庇部３の軒元側の端部は、柱１１によって下方から支持されるとともに、側端面が上階床１８に接合される２方向の接合となる。このため、庇部３を階段ユニット１に対して強固に取り付けることができる。
【００５６】
そして、このような接合は、庇部３の軒元側の端部を上階床１８の側面部１８１に隣接させる固定金具３１によって形成することで、柱１１側への固定と上階床１８側への固定とを、吊り荷がない状態で容易に行うことができる。
【００５７】
さらに、階段ユニット１の開口部１５の上方に手摺部４が設けられている場合に、手摺部４の下枠４３と上階床１８の上面１８３との隙間の排水経路４１から庇部３に向けて排水がされても、庇部３が強固に接合されているので垂れ下がりが起きることがない。このため、庇部３の軒元側においても、スムーズな排水を行うことができる。
【００５８】
また、庇部３の軒先部３６側の隅角部に竪樋部３４を接続することで、軒先部３６側からの排水を行わせることができる。要するに、半屋外空間となる上階床１８上に入り込んだ雨や、庇部３に降った雨を、庇部３の軒先の竪樋部３４によって集中排水させることができる。
【００５９】
以上、図面を参照して、本発明の実施の形態を詳述してきたが、具体的な構成は、この実施の形態に限らず、本発明の要旨を逸脱しない程度の設計的変更は、本発明に含まれる。
【００６０】
例えば、前記実施の形態では、２列に建物ユニット２，・・・を並べた第１ユニット群２０Ａと１列に建物ユニット２，・・・を並べた第２ユニット群２０Ｂとの間に階段ユニット１が配置されたユニット建物１０を例に説明したが、これに限定されるものではなく、第１及び第２ユニット群の構成は任意に設定することができる。
【００６１】
また、前記実施の形態では、庇部３の軒先側の竪樋部３４によって集中排水させる例について説明したが、これに限定されるものではない。本実施の形態で説明したように庇部３が強固に階段ユニット１に接合されていて垂れ下がりが生じないのであれば、庇部３の軒元側でも集中排水させることができる。
【符号の説明】
【００６２】
１０            ユニット建物
１              階段ユニット
１１            柱（柱材）
１１１          上端面
１２，１２Ａ    床梁（梁材）
１３，１３Ａ    上床梁（梁材）
１５            開口部
１６            エントランス壁（端部）
１８            上階床
１８１          側面部（側面）
１８３          上面
１９Ａ          下階段部（階段部）
１９Ｂ          上階段部（階段部）
２              建物ユニット
２０Ａ          第１ユニット群
２０Ｂ          第２ユニット群
２１            柱（柱材）
２２，２２Ａ    床梁（梁材）
２３，２３Ａ    天井梁（梁材）
３              庇部
３１            固定金具
３１１          柱固定部
３１２          床固定部
３４            竪樋部
３６            軒先部
４              手摺部
４１            排水経路
４３            下枠
【図１】
2018172848.tif 000003
【図２】
2018172848.tif 000004
【図３】
2018172848.tif 000005
【図４】
2018172848.tif 000006
【図５Ａ】
2018172848.tif 000007
【図５Ｂ】
2018172848.tif 000008
【図６】
2018172848.tif 000009